(57)【要約】【課題】熱交換能力を高めたヒートポンプ装置を提供する。【解決手段】ヒートポンプ装置１０は、互いに隣接する第１側壁１４及び第２側壁１６と、上壁１２とを有する筐体１１と、筐体１１内に収容される熱交換装置２５及びファン装置２６とを備え、第１側壁１４及び第２側壁１６には、それぞれ第１空気取入口１９及び第２空気取入口２１が設けられ、上壁１２には、第１空気吹出口２２が設けられ、熱交換装置２５が、第１側壁１４及び第２側壁１６に沿って配置された第１熱交換部３３及び第２熱交換部３５を含み、ファン装置２６が、第１側壁１４に交差する方向の回転軸心Ｃを有し、第１空気取入口１９から空気を取り入れて第１空気吹出口２２へ空気を排出する第１ファン３７と、第２空気取入口２１から空気を取り入れる第２ファン３８と、を含む。【選択図】図３
2020169788.tif 000002
【特許請求の範囲】
【請求項１】
互いに隣接する第１側壁（１４）及び第２側壁（１６）、並びに上壁（１２）を有する筐体（１１）と、
前記筐体（１１）内に収容される熱交換装置（２５）及びファン装置（２６）とを備え、
前記第１側壁（１４）及び前記第２側壁（１６）には、それぞれ第１空気取入口（１９）及び第２空気取入口（２１）が設けられ、
前記上壁（１２）には、第１空気吹出口（２２）が設けられ、
前記熱交換装置（２５）が、前記第１側壁（１４）及び前記第２側壁（１６）に沿って配置された第１熱交換部（３３）及び第２熱交換部（３５）を含み、
前記ファン装置（２６）が、前記第１側壁（１４）に交差する方向の回転軸心（Ｃ１）を有し、前記第１空気取入口（１９）から空気を取り入れて前記第１空気吹出口（２２）へ空気を排出する第１ファン（３７）と、
前記第２空気取入口（２１）から空気を取り入れる第２ファン（３８）と、を含む、ヒートポンプ装置。
【請求項２】
前記筐体（１１）が、平面視で長方形状であり、前記第１側壁（１４）が長方形の長辺における側壁であり、前記第２側壁（１６）が長方形の短辺における側壁である、請求項１に記載のヒートポンプ装置。
【請求項３】
前記第２ファン（３８）の口径が、前記第１ファン（３７）の口径よりも小さい、請求項２に記載のヒートポンプ装置。
【請求項４】
前記第１ファン（３７）と第２ファン（３８）との間に配置され、各ファン（３７，３８）の空気流生成領域を区画する仕切部材（４６）を備えている、請求項１〜３のいずれか１項に記載のヒートポンプ装置。
【請求項５】
前記上壁（１２）に、前記第２ファン（３８）による空気流を吹出す第２空気吹出口（２３）が設けられている、請求項１〜４のいずれか１項に記載のヒートポンプ装置。
【請求項６】
前記第２ファン（３８）が、前記上壁（１２）に交差する方向の回転軸心（Ｃ２）を有するプロペラファンである、請求項５に記載のヒートポンプ装置。
【請求項７】
前記第２空気吹出口が、前記上壁（１２）のうち前記第２側壁（１６）に近い側に配置され、前記第１空気吹出口（２２）が前記第２側壁（１６）から離れた側に配置されている、請求項５又は６のいずれか１項に記載のヒートポンプ装置。
【請求項８】
前記第２ファン（３８）が、前記第１ファン（３７）の上端よりも上側であって、平面視において前記第１ファン（３７）に重なる位置に配置されている、請求項１〜７のいずれか１項に記載のヒートポンプ装置。
【請求項９】
前記第１ファン（３７）と前記第２ファン（３８）とを個別に運転制御するコントローラ（５７）を備える、請求項１〜８のいずれか１項に記載のヒートポンプ装置。
【請求項１０】
前記筐体（１１）が、前記第１側壁（１４）に対向し第３空気取入口（２０）が形成された第３側壁（１５）を備え、
前記熱交換装置（２５）が、前記第３側壁（１５）に沿って配置される第３熱交換部（３４）を含み、
前記第１ファン（３７）が、前記第３空気取入口（２０）から空気を取り入れ前記第１空気吹出口（２２）から排出する、請求項１〜９のいずれか１項に記載のヒートポンプ装置。
【請求項１１】
前記第１熱交換部（３３）、前記第２熱交換部（３５）、及び前記第３熱交換部（３４）が一体に形成されている、請求項１０に記載のヒートポンプ装置。
【発明の詳細な説明】
【技術分野】
【０００１】
本開示は、ヒートポンプ装置に関する。
【背景技術】
【０００２】
ヒートポンプ装置の一態様である空気調和機として、特許文献１記載のものが知られている。この空気調和機の室外機は、筐体と、筐体の内部に配置された熱交換器及びファンとを備えている。筐体は、平面視で長方形状に形成され、熱交換器は、筐体の隣接する２つの側壁に沿うように平面視Ｌ字状に形成されている。これらの２つの側壁には、それぞれ空気取入口が形成されている。ファンは、一方の側壁に対向して配置され当該側壁に直交する軸心を有している。ファンは、筐体の２つの空気取入口から空気を取り入れて熱交換器に通過させ、筐体の上壁から空気を吹き出すように構成されている。
【先行技術文献】
【特許文献】
【０００３】
【特許文献１】実開昭６０−１１１４６６号公報
【発明の概要】
【発明が解決しようとする課題】
【０００４】
特許文献１に記載された室外機では、空気を吸い込むファンの側面が対向している一方の側壁の空気取入口よりも、他方の側壁の空気取入口から空気を取り込みにくいので、熱交換器の熱交換能力が不十分となる可能性がある。
【０００５】
本開示は、熱交換能力を高めたヒートポンプ装置を提供することを目的とする。
【課題を解決するための手段】
【０００６】
（１）本開示のヒートポンプ装置は、互いに隣接する第１側壁及び第２側壁、並びに上壁を有する筐体と、
前記筐体内に収容される熱交換装置及びファン装置とを備え、
前記第１側壁及び前記第２側壁には、それぞれ第１空気取入口及び第２空気取入口が設けられ、
前記上壁には、第１空気吹出口が設けられ、
前記熱交換装置が、前記第１側壁及び前記第２側壁に沿って配置された第１熱交換部及び第２熱交換部を含み、
前記ファン装置が、前記第１側壁に交差する方向の回転軸心を有し、前記第１空気取入口から空気を取り入れて前記第１空気吹出口へ空気を排出する第１ファンと、
前記第２空気取入口から空気を取り入れる第２ファンと、を含む。
【０００７】
以上の構成によって、第１ファン及び第２ファンが駆動されることによって、筐体の互いに隣接する第１側壁の第１空気取入口及び第２側壁の第２空気取入口からそれぞれ空気が吸い込まれ、第１、第２側壁に沿って配置された第１、第２熱交換部に効率よく空気が供給されるので、熱交換装置の熱交換能力を向上させることができる。
【０００８】
（２）好ましくは、前記筐体が、平面視で長方形状であり、前記第１側壁が長方形の長辺における側壁であり、前記第２側壁が長方形の短辺における側壁である。
【０００９】
（３）好ましくは、前記第２ファンの口径が、前記第１ファンの口径よりも小さい。
このような構成によって、第１、第２熱交換部の大きさに応じて第１ファンと第２ファンの風量を適正化することができる。
【００１０】
（４）好ましくは、前記第１ファンと第２ファンとの間に配置され、各ファンの空気流生成領域を区画する仕切部材を備えている。
このような構成によって、第１ファン及び第２ファンによって生成される空気流が相互に干渉するのを抑制することができる。
【００１１】
（５）好ましくは、前記上壁に、前記第２ファンにより生成された空気流を吹出す第２空気吹出口が設けられている。
この構成によれば、第２ファンによって第２側壁の第２空気取入口から空気を取り入れて上壁から空気を吹き出すことができる。
【００１２】
（６）好ましくは、前記第２ファンが、前記上壁に交差する方向の回転軸心を有するプロペラファンである。
この構成により、第２ファンによって上下方向の空気流を生成し、第２空気取入口から取り入れた空気を第２熱交換部に通過させた後、第２空気吹出口から上方へ吹き出すことができる。
【００１３】
（７）好ましくは、前記第２空気吹出口が、前記上壁のうち前記第２側壁に近い側に配置され、前記第１空気吹出口が前記第２側壁から離れた側に配置されている。
この構成によれば、第１、第２ファンによって生成された空気流を相互に干渉することなく上壁から吹き出すことができる。
【００１４】
（８）好ましくは、前記第２ファンが、前記第１ファンの上端よりも上側であって、平面視において第１ファンに重なる位置に配置されている。
この構成によって、第２ファンによって上方への空気流をより生成しやすくなる。
【００１５】
（９）好ましくは、前記第１ファンと前記第２ファンとを個別に運転制御するコントローラを備える。
この構成によれば、運転中に必要な熱交換能力に応じて第１ファン及び第２ファンを個別に動作制御することができる。
【００１６】
（１０）好ましくは、前記筐体が、前記第１側壁に対向し第３空気取入口が形成された第３側壁を備え、
前記熱交換装置が、前記第３側壁に沿って配置される第３熱交換部を含み、
前記第１ファンが、前記第３空気取入口から軸心方向に沿って空気を取り入れ前記第１空気吹出口から排出する。
このような構成によって、熱交換装置の熱交換能力をより向上させることができる。
【００１７】
（１１）好ましくは、前記第１熱交換部、前記第２熱交換部、及び前記第３熱交換部が一体に形成されている。
このような構成によって、第１〜第３熱交換部が、それぞれ別体の熱交換器により構成される場合に比べて熱交換装置の構造を簡素化し、小型化することができる。
【図面の簡単な説明】
【００１８】
【図１】一実施形態に係るヒートポンプ装置の斜視図である。
【図２】ヒートポンプ装置の概略的な水平断面図である。
【図３】ヒートポンプ装置の概略的な垂直断面図である。
【図４】図３のＢ部の拡大断面図である。
【図５】第１ファンのファンハウジングを示す斜視図である。
【図６】熱交換装置及びファン装置の変形例を示す概略的な水平断面図である。
【発明を実施するための形態】
【００１９】
以下、添付図面を参照しつつ、本開示の実施形態を詳細に説明する。
図１は、一実施形態に係るヒートポンプ装置の斜視図である。図２は、ヒートポンプ装置の概略的な水平断面図である。図３は、ヒートポンプ装置の概略的な垂直断面図である。本実施形態のヒートポンプ装置１０は、空気調和機や給湯装置などの室外機として用いられる。なお、以下の説明では、図２の右側を「前」、左側を「後」、下側を「左」、上側を「右」として説明する。しかし、これらの方向は説明の便宜のために定めたものであり、左右又は前後をそれぞれ入れ替えて読み替えたり、左右と前後とを相互に入れ替えて読み替えたりしてもよい。
【００２０】
室外機１０は、筐体１１を備えている。筐体１１は、直方体に形成され内部が中空の箱である。筐体１１は、上壁１２、下壁１３、及び側壁１４〜１７を有している。上壁１２及び下壁１３は、平面視で長方形に形成されている。側壁１４〜１７は、上壁１２と下壁１３との上下に対応する４辺同士を接続している。側壁１４〜１７は、上壁１２及び下壁１３の長辺同士を接続する左側壁（第１側壁）１４及び右側壁（第３側壁）１５と、上壁１２及び下壁１３の短辺同士を接続する前側壁（第２側壁）１６及び後側壁（第４側壁）１７とを含む。左側壁１４と右側壁１５とは上壁１２及び下壁１３の短辺に沿った方向に対向している。前側壁１６と後側壁１７とは、上壁１２及び下壁１３の長辺に沿った方向に対向している。室外機１０の重量は、例えば１１０ｋｇ以下とされる。
【００２１】
左側壁１４には、筐体１１内に空気を取り入れるための左側空気取入口（第１空気取入口）１９が形成されている。右側壁１５には、筐体１１内に空気を取り入れるための右側空気取入口（第３空気取入口）２０が形成されている。前側壁１６には、筐体１１内に空気を取り入れるための前側空気取入口（第２空気取入口）２１が形成されている。
【００２２】
図１及び図３に示すように、上壁１２には、筐体１１内から空気を吹き出すための空気吹出口２２，２３が形成されている。本実施形態の上壁１２には、後側空気吹出口（第１空気吹出口）２２と前側空気吹出口（第２空気吹出口）２３とが形成され、これらは前後方向に並べて配置されている。後側空気吹出口２２と前側空気吹出口２３とは、保護網２４で覆われている。
【００２３】
図２及び図３に示すように、室外機１０は、熱交換装置２５と、ファン装置２６とを備えている。熱交換装置２５及びファン装置２６は、筐体１１の内部に収容されている。筐体１１は、内部に熱交換室Ｓ１と機械室Ｓ２とを有している。熱交換室Ｓ１は、筐体１１内の前部側に配置され、熱交換装置２５及びファン装置２６が収容されている。機械室Ｓ２は、筐体１１内の後部側に配置され、図示しない圧縮機、四路切換弁、膨張弁、電装品ユニット等が収容されている。
【００２４】
図２に示すように、熱交換装置２５は、平面視（上面視）において左側壁１４、前側壁１６、及び右側壁１５に沿うようにＵ字状に折り曲げられられている。本実施形態では、熱交換装置２５のうち、左側壁１４に沿って配置された部分を左側熱交換部（第１熱交換部）３３という。熱交換装置２５のうち右側壁１５に沿って配置された部分を右側熱交換部（第２熱交換部）３４という。熱交換装置２５のうち前側壁１６に沿って配置された部分を前側熱交換部（第３熱交換部）３５という。したがって、熱交換装置２５は、左側熱交換部３３、右側熱交換部３４、及び前側熱交換部３５を有し、これらは一体に形成されている。なお、本実施形態では、後述する伝熱管２８が左側熱交換部３３、右側熱交換部３４及び前側熱交換部３５にわたって繋がっている。
【００２５】
図３及び図４に示すように、熱交換装置２５は、冷媒が流れる複数の伝熱管２８を有する。各伝熱管２８は、水平に配置されている。複数の伝熱管２８は、上下方向に並べて配置されている。複数の伝熱管２８の長手方向の端部は、図１に示すように、上下方向に沿って配置されたヘッダ２９，３０に接続されている。
【００２６】
本実施形態の伝熱管２８は、図４に示すように扁平多穴管からなる。伝熱管２８は、水平方向の長さ（幅）が上下方向の長さ（厚さ）よりも大きい横断面形状を有している。伝熱管２８の内部には、複数の冷媒流路２８ａが水平方向に並べて配置されている。上下に隣接する伝熱管２８の間には、フィン３１が設けられている。フィン３１は、伝熱管２８の長手方向に多数並べて設けられている。複数の伝熱管２８とフィン３１とは一体に組み立てられている。なお、本実施形態の熱交換装置２５では、伝熱管２８、ヘッダ２９，３０、及びフィン３１がアルミニウム製又はアルミニウム合金製である。
【００２７】
ファン装置２６は、メインファン（第１ファン）３７と、サブファン（第２ファン）３８とを含む。
メインファン３７は、左側熱交換部３３と右側熱交換部３４との間に挟まれた状態で配置されている。メインファン３７は、遠心ファンである。メインファン３７は、左側壁１４と右側壁１５とに直交（交差）し、水平方向（左右方向）に沿って配置された回転軸４０を有する。なお、メインファン３７の回転軸４０は、厳密に水平方向に沿って配置されていなくてもよく、若干の傾斜を有していてもよい。以下、回転軸４０の軸心Ｃ１のことを、単に「回転軸心Ｃ１」ともいう。軸心Ｃ１に沿った方向のことを、「回転軸心方向」ともいう。
【００２８】
メインファン３７は、左翼部（第１翼部）４１と、右翼部（第２翼部）４２とを有する。左翼部４１と右翼部４２とは、回転軸心方向に隣接して設けられている。左翼部４１と右翼部４２とは一体回転可能である。例えば、左翼部４１と右翼部４２とは、個別に形成されたものが一体回転可能に連結される。または、左翼部４１と右翼部４２とは、当初より一体に形成される。
【００２９】
メインファン３７は、１台のモータ４３を備える。モータ４３の駆動軸は回転軸４０に連結されている。モータ４３は、回転軸４０を介して左右の翼部４１，４２を回転させる。
【００３０】
図２に示すように、モータ４３は、筐体１１内に設けられた支持台４４に支持されている。支持台４４は、メインファン３７の左右方向の一側部に配置されている。支持台４４は、メインファン３７を片持ち状に支持している。
【００３１】
メインファン３７の左翼部４１は、回転することによって主に筐体１１の左側壁（第１側壁）１４に形成された左側空気取入口（第１空気取入口）１９から回転軸心方向に空気を吸い込む。左翼部４１は、吸い込んだ空気を回転軸心Ｃ１に交差する平面に沿った方向、具体的に本実施形態では、回転軸心Ｃ１に直交する平面に沿った方向に空気を排出する。
【００３２】
右翼部４２は、回転することによって主に筐体１１の右側壁１５（第３側壁）に形成された右側空気取入口（第３空気取入口）２０から回転軸心方向に空気を吸い込む。右翼部４２は、吸い込んだ空気を回転軸心Ｃ１に交差する平面に沿った方向、具体的に本実施形態では、回転軸心Ｃ１に直交する平面に沿った方向に空気を排出する。
【００３３】
メインファン３７は、モータ４３によって図３の矢印ａ方向に回転し、矢印ｂ方向に空気を排出する。
左翼部４１及び右翼部４２は、回転することによって前側壁（第２側壁）１６に形成された前側空気取入口（第２空気取入口）２１からも空気を引き込んで吸い込むことができる。ただし、左翼部４１及び右翼部４２が前側空気取入口２１から取り入れる空気の量は、後述するサブファン３８が前側空気取入口２１から取り入れる空気の量に比べて少ない。
【００３４】
図２及び図３に示すように、メインファン３７の左翼部４１と右翼部４２とはファンハウジング４６内に収容されている。ファンハウジング４６は、図５にも示すように、左壁部（第１壁部）４７、右壁部（第２壁部）４８、前壁部（第３壁部）４９、後壁部（第４壁部）５０、及び底壁部５１を有している。左壁部４７と右壁部４８とは、メインファン３７の回転軸心方向において対向している。前壁部４９と後壁部５０とは、メインファン３７の回転軸心Ｃ１に直交する水平方向において対向している。左壁部４７には、左吸込口（第１吸込口）４７ａが形成されている。右壁部４８には、右吸込口（第２吸込口）４８ａが形成されている。ファンハウジング４６の上部には、吐出口５２が形成されている。
【００３５】
左吸込口４７ａ及び右吸込口４８ａは、メインファン３７の回転軸心Ｃ１を中心とする円形状の開口である。メインファン３７が回転すると、左側空気取入口１９及び右側空気取入口２０から取り入れられた空気が、左側熱交換部３３及び右側熱交換部３４を通過して左吸込口４７ａ及び右吸込口４８ａからファンハウジング４６内に吸い込まれる。
【００３６】
ファンハウジング４６の吐出口５２は、左右壁部４７，４８及び前後壁部４９，５０の上端縁によって囲まれて形成された開口である。ファンハウジング４６の前壁部４９は、その上部側が後斜め上方へ傾斜している。ファンハウジング４６の後壁部５０も、その上部側が後斜め上方へ傾斜している。したがって、吐出口５２は、ファンハウジング４６の後側に偏った位置に配置されている。吐出口５２は、メインファン３７の回転軸４０よりも後側に配置されている。吐出口５２は、機械室Ｓ２の上部側の領域に入り込んでいる。ファンハウジング４６の前壁部４９の上部側における傾斜は、メインファン３７から排出された空気の流れを後方へ案内する機能を有する。
【００３７】
ファンハウジング４６の前壁部４９は、その下部が後斜め下方へ傾斜し、下端が底壁部５１の前端に接続されている。ファンハウジング４６の後壁部５０は、その下部が前斜め下方へ傾斜し、下端が底壁５１の後端に接続されている。
【００３８】
ファンハウジング４６の吐出口５２の上方には、筐体１１の上壁１２に形成された後側空気吹出口（第１空気吹出口）２２が配置されている。メインファン３７の駆動によりファンハウジング４６内に吸い込まれた空気は、吐出口５２を介して後側空気吹出口２２から上方へ吹き出される。
【００３９】
筐体１１の上壁１２における後側空気吹出口２２の前側には、前側空気吹出口（第２空気吹出口）２３が配置されている。前側空気吹出口２３には、サブファン３８が配置されている。サブファン３８は、回転軸心Ｃ２に沿った空気流を生成する軸流ファンである。本実施形態のサブファン３８は、プロペラファンである。サブファン３８は、上下方向に沿って配置された回転軸５４と、この回転軸５４を駆動するモータ５３とを有する。サブファン３８の直径（口径）は、メインファン３７の直径（口径）よりも小さい。
【００４０】
サブファン３８の外周は、ベルマウス５５によって囲まれている。このベルマウス５５が、実質的に前側空気吹出口２３を形成している。サブファン３８の回転軸心Ｃ２は、メインファン３７の回転軸心Ｃ１よりも前側壁１６側に配置されている。サブファン３８は、図２に示すように、平面視においてメインファン３７と重なる位置に配置されている。サブファン３８を駆動すると、下方から上方へ向かう空気流が生成される。そのため、筐体１１の前側壁１６に形成された前側空気取入口２１から筐体１１内に空気が取り入れられ、前側熱交換部３５を通過して上方へ吹き出される。
【００４１】
メインファン３７におけるファンハウジング４６の前壁部４９は、その上部が後斜め上方へ傾斜しているので、ファンハウジング４６の前壁部４９と筐体１１の前側壁１６との間であってサブファン３８の下方には、上部側ほど前後に拡大する空間Ａが形成される。この空間Ａによってサブファン３８と前側空気取入口２１との広い空気の流通路が形成され、前側熱交換部３５を通過する空気の風量を確保することができる。この空間Ａによって、サブファン３８の駆動により筐体１１の左側空気取入口１９及び右側空気取入口２０からも空気が取り入れられ、左側熱交換部３３及び右側熱交換部３４を通過した空気が前側空気吹出口２３から吹き出される。ただし、サブファン３８によって左側空気取入口１９及び右側空気取入口２０から取り入れられる空気の量は、メインファン３７によって左側空気取入口１９及び右側空気取入口２０から取り入れられる空気の量よりも小さい。
【００４２】
ファンハウジング４６、特に前壁部４９は、メインファン３７による空気流の生成領域と、サブファン３８による空気流の生成領域を仕切る仕切部材として機能している。上述したように、サブファン３８は、平面視においてメインファン３７と重なった位置に配置されているが、ファンハウジング４６の前壁部４９は、その上部側が後斜め上方へ傾斜しているので、メインファン３７により生成される空気流に対しては、空気の整流機能（ガイド機能）を果たし、サブファン３８により生成される空気流に対しては、風量確保のために機能している。
【００４３】
メインファン３７におけるモータ４３と、サブファン３８におけるモータ５３とは、コントローラ５７により動作制御される。このコントローラ５７は、機械室Ｓ２に収容される電装品ユニットに設けられる。コントローラ５７は、空調負荷に応じてメインファン３７とサブファン３８との双方を駆動する形態、又は、いずれか一方を駆動する形態で制御を行う。双方又はいずれか一方のモータ４３，５３はインバータモータであってもよい。この場合、コントローラ５７は、空調負荷に応じてモータ４３，５３の運転周波数を制御することができる。
【００４４】
＜実施形態の作用効果＞
（１）  近年、労働力の減少という社会的な問題を背景として、空調分野においても空調設備を設置する際の少人数化や工数削減が求められている。そのため、室外機１０をできるだけ小型化し、運搬及び設置作業を省力化することが望まれている。一方では、小型の室外機１０の熱交換能力を高めることで、より規模の大きな設備にも適用できるようにすることも望まれている。
【００４５】
上述した実施形態の室外機１０は、互いに対向する左側壁１４及び右側壁１５、並びに上壁１２を有する筐体１１と、筐体１１内に収容される熱交換装置２５及びメインファン３７とを備えている。左側壁１４及び右側壁１５には、それぞれ左側空気取入口１９及び右側空気取入口２０が設けられ、上壁１２には、後側空気吹出口２２が設けられている。熱交換装置２５は、左側壁１４及び右側壁１５に沿って配置された左側熱交換部３３及び右側熱交換部３４を含む。メインファン３７は、左側熱交換部３３と右側熱交換部３４との間に挟まれて配置される。メインファン３７は、左側壁１４及び右側壁１５に交差する方向の回転軸心Ｃ１を有する。メインファン３７は、左側空気取入口１９及び右側空気取入口２０から空気を取り入れて後側空気吹出口２２へ空気を排出する。
【００４６】
以上の構成により、メインファン３７が駆動されることによって、筐体１１の互いに対向する左側壁１４及び右側壁１５に形成された左側空気取入口１９及び右側空気取入口２０の双方から空気が吸い込まれ、左側熱交換部３３及び右側熱交換部３４の双方において空気と冷媒との間で熱交換が行われるので、熱交換能力を向上させることができる。
【００４７】
（２）  メインファン３７は、遠心ファンであるため、軸流ファンに比べて静圧が高い。そのため、小型の筐体１１であっても風量を確保することができる。なお、メインファン３７は、斜流ファンであってもよい。
【００４８】
（３）  筐体１１は、直方体であり、４つの側壁のうち面積のより広い左側壁１４及び右側壁１５に沿って左右の熱交換部３３，３４が配置され、左右側壁１４，１５に形成された左側空気取入口１９及び右側空気取入口２０の双方から空気を取り入れて熱交換を行うので、より熱交換能力を向上させることができる。
【００４９】
（４）  筐体１１は、左側壁１４と右側壁１５との近接する端部同士を接続する前側壁１６を有し、前側壁１６に前側空気取入口２１が設けられている。熱交換装置２５は、前側壁１６に沿って配置された前側熱交換部３５を含んでいる。したがって、熱交換装置２５は、筐体１１の左右側壁１４，１５及び前側壁１６に沿って配置された熱交換部３３，３４，３５を有する。これにより、熱交換能力をより向上させることができる。
【００５０】
（５）メインファン３７の回転軸心Ｃ１は、左側壁１４および右側壁１５に交差する方向に配置され、メインファン３７は、左側熱交換部３３と右側熱交換部３４との間に挟まれて配置されているので、室外機１０の小型化を図ることができる。
【００５１】
（６）  上述した実施形態の室外機１０では、互いに隣接して配置される左側壁１４（又は右側壁１５）と前側壁１６とにそれぞれ左側空気取入口１９（又は右側空気取入口２０）と前側空気取入口２１とが設けられ、上壁１２に後側空気吹出口２２が設けられている。熱交換装置２５は、左側壁１４（又は右側壁１５）及び前側壁１６に沿って配置された左側熱交換部３３（又は右側熱交換部３４）及び前側熱交換部３５を含んでいる。ファン装置２６は、左側壁１４（又は右側壁１５）に交差する方向の回転軸心Ｃ１を有し、左側空気取入口１９（又は右側空気取入口２０）から空気を取り入れて後側空気吹出口２２へ空気を排出するメインファン３７と、前側空気取入口２１から空気を取り入れるサブファン３８とを含んでいる。
【００５２】
以上の構成により、メインファン３７及びサブファン３８が駆動されることによって、筐体１１の互いに隣接する左側壁１４（又は右側壁１５）と前側壁１６とに形成された左側空気取入口１９（又は右側空気取入口２０）と前側空気取入口２１とからそれぞれ空気が吸い込まれ、左側熱交換部３３（又は右側熱交換部３４）と前側熱交換部３５とに効率よく空気が供給されるので、熱交換装置２５の熱交換能力を向上させることができる。
【００５３】
（７）  サブファン３８の口径は、メインファン３７の口径よりも小さい。そのため、左側熱交換部３３、右側熱交換部３４、及び前側熱交換部３５の大きさに応じてメインファン３７とサブファン３８の風量を適正化することができる。
【００５４】
（８）  熱交換装置２５は、筐体１１の左右側壁１４，１５及び前側壁１６に沿って配置された左側熱交換部３３、右側熱交換部３４、及び前側熱交換部３５を備えている。これらは、それぞれ別体の熱交換器により構成することもできる。本実施形態の熱交換装置２５は、左側熱交換部３３、右側熱交換部３４、及び前側熱交換部３５が一体に形成されているので、これらが別体の熱交換器により構成される場合に比べて熱交換装置２５の構造を簡素化し、小型化することができる。
【００５５】
（９）  室外機１０は、メインファン３７とサブファン３８との間に配置され、各ファン３７，３８の空気流生成領域を区画するファンハウジング４６（仕切部材）を備えている。そのため、メインファン３７及びサブファン３８によって生成される空気流が相互に干渉するのを抑制することができる。
【００５６】
（１０）  筐体１１の上壁１２には、サブファン３８により生成された空気流を吹出す前側空気吹出口２３が設けられている。そのため、サブファン３８によって前側壁１６の前側空気取入口２１から空気を取り入れ、上壁１２から円滑に空気を吹き出すことができる。
【００５７】
（１１）  サブファン３８は、上壁１２に交差する方向の回転軸心を有するプロペラファンである。そのため、サブファン３８によって上下方向の空気流を生成し、前側空気取入口２１から取り入れた空気を前側熱交換部３５に通過させた後、前側空気吹出口２３から上方へ吹き出すことができる。
【００５８】
（１２）  サブファン３８は、メインファン３７の上端よりも上側に配置されている。そのため、サブファン３８によって上方への空気流をより生成しやすくなる。その結果、前側熱交換部３５の熱交換能力をより向上させることができる。サブファン３８は、平面視において第１ファン３７に重なる位置に配置されている。そのため、筐体１１を小型化することができる。なお、サブファン３８は、プロペラファンに限らず、シロッコファン等の遠心ファンであってもよい。この場合も、同様の作用効果を期待することができる。
【００５９】
（１３）  上述した実施形態では、前側空気吹出口２３が、上壁１２のうち前側壁１６に近い側に配置され、後側空気吹出口２２が前側壁１６から離れた側に配置されている。そのため、サブファン３８及びメインファン３７によって生成された空気流を相互に干渉することなく上壁１２から吹き出すことができる。
【００６０】
（１４）  室外機１０は、メインファン３７とサブファン３８とを個別に運転制御するコントローラ５７を備えている。そのため、運転中に必要な熱交換能力に応じてメインファン３７及びサブファン３８を個別に動作制御することができる。
【００６１】
（１５）  熱交換装置２５の伝熱管２８は、アルミニウム製又はアルミニウム合金製の扁平多穴管からなっている。そのため、伝熱管２８として円管を用いた場合に比べて、熱交換能力を高めることができる。アルミニウム製又はアルミニウム合金製の伝熱管２８を用いることで、熱交換装置２５の軽量化及びコストダウンを図ることができる。
【００６２】
（１６）  上述した実施形態では、室外機１０が、メインファン３７の回転軸心方向の一側部において、メインファン３７を片持ち状に支持する支持台４４を有している。このように、支持台４４によってメインファン３７を片持ち支持することで筐体１１の小型化を図ることができる。支持台４４は、メインファン３７の風路上に配置せざるを得ないので、メインファン３７の回転軸心方向の一側部のみに支持台４４を設けることで、支持台４４による空気抵抗の増大を抑えることができる。
【００６３】
（１７）  上述した実施形態では、筐体１１の底面積が、０．６ｍ２以下である。ＪＩＳ  Ａ  ４３０１−１９８３（エレベーターのかご及び昇降路の寸法）の規定では、最大定員が最小（６人乗り）のエレベータは室内面積が１．１７ｍ２以上である。そのため、筐体１１の底面積が０．６ｍ２以下であることによって、室外機１０をエレベータに積載して運搬することができる。したがって、室外機１０を建物の屋上等に設置する場合にエレベータを用いることができ、クレーン等の重機が不要となるので、空調設備の設置に係る費用、時間、人員等を削減することができる。
【００６４】
（１８）  上述した実施形態では、室外機１０の重量が１１０ｋｇ以下である。そのため、二人作業で室外機１０を運搬することができる。
【００６５】
なお、本開示は、以上の例示に限定されるものではなく、特許請求の範囲によって示され、特許請求の範囲と均等の意味及び範囲内でのすべての変更が含まれることが意図される。
【００６６】
熱交換装置２５は、上記実施形態に限定されるものではない。例えば、熱交換装置２５は、図６に示すように変形することができる。
図６（ａ）に示す変形例は、熱交換装置２５が、筐体１１の左側壁（第１側壁）１４に沿って配置された左側熱交換部（第１熱交換部）３３と、前側壁（第２側壁）１６に沿って配置された前側熱交換部（第２熱交換部）３５とを有し、平面視でＬ字状に形成されている。メインファン３７の駆動によって、主に左側空気取入口（第１空気取入口）１９から空気が取り入れられ、左側熱交換部３３を通過して上方へ吹き出される。サブファン３８の駆動によって、主に前側空気取入口（第２空気取入口）２１から空気が取り入れられ、前側熱交換部３５を通過して上方へ吹き出される。
【００６７】
図６（ｂ）に示す変形例は、熱交換装置２５が、伝熱管２８及びフィン３１（図４参照）の組立体を空気の流れ方向に２列に並べて備えている。各列の伝熱管２８は、それぞれ長手方向に一端において連結ヘッダ５８で連通されている。一方の列の伝熱管２８の他端には液冷媒が流れる液側ヘッダ２９が接続され、他方の列の伝熱管２８の他端にはガス冷媒が流れるガス側ヘッダ３０が接続されている。
【００６８】
上記実施形態では、ヒートポンプ装置が室外機１０である場合を説明したが、空気調和機の室内機にも適用することができる。
上記実施形態及び変形例では、筐体１１の左側壁１４を第１側壁、右側壁１５を第３側壁として説明していたが、左側壁１４を第３側壁、右側壁１５を第１側壁としてもよい。同様に、左側空気取入口１９を第３空気取入口とし、右側空気取入口２０を第１空気取入口としてもよい。熱交換装置２５の左側熱交換部３３を第３熱交換部とし、右側熱交換部３４を第１熱交換部としてもよい。
【符号の説明】
【００６９】
１０    ：室外機（ヒートポンプ装置）
１１    ：筐体
１２    ：上壁
１４    ：左側壁（第１側壁）
１５    ：右側壁（第３側壁）
１６    ：前側壁（第２側壁）
１９    ：左側空気取入口（第１空気取入口）
２０    ：右側空気取入口（第３空気取入口）
２１    ：前側空気取入口（第２空気取入口）
２２    ：後側空気吹出口（第１空気吹出口）
２３    ：前側空気吹出口（第２空気吹出口）
２５    ：熱交換装置
２６    ：ファン装置
３３    ：左側熱交換部（第１熱交換部）
３４    ：右側熱交換部（第３熱交換部）
３５    ：前側熱交換部（第２熱交換部）
３７    ：メインファン（第１ファン）
３８    ：サブファン（第２ファン）
５７    ：コントローラ
Ｃ１    ：回転軸心
Ｃ２    ：回転軸心
【図１】
2020169788.tif 000003
【図２】
2020169788.tif 000004
【図３】
2020169788.tif 000005
【図４】
2020169788.tif 000006
【図５】
2020169788.tif 000007
【図６】
2020169788.tif 000008